(57)【要約】      （修正有）【課題】ディスクの回転に伴って発生する空気の流れが、円盤状カバーの側面部とトレイの主面との間の隙間を通って移動してしまい、空気の流れによる騒音レベルが高くなるのを防止する。【解決手段】光ディスクＤが出し入れ可能に収納される凹部からなるディスク収納部１１を有するディスクトレイ１２と、このディスクトレイを、その面方向へ移動可能に支持するトレイ収納筐体と、このトレイ収納筐体に取り付けられると共に、そのトレイ収納筐体に収納されたときのディスクトレイのディスク収納部の全体を覆うディスクカバー１４と、を備えて構成されている。ディスクカバー１４の外周縁に周方向に連続する環状接触部６３を設け、この環状接触部は、ディスクカバーの板厚の厚みよりも広い面積を有し、その環状接触部をディスクトレイ１２のディスク収納部１１の周縁の全周に渡って接触させるようにした。【選択図】図１０
2008299944.tif 000002
【特許請求の範囲】
【請求項１】
ディスク状記録媒体が出し入れ可能に収納される凹部からなるディスク収納部を有するディスクトレイと、
前記ディスクトレイを、当該ディスクトレイの面方向へ移動可能に支持するトレイ収納筐体と、
前記トレイ収納筐体に取り付けられると共に、当該トレイ収納筐体に収納されたときの前記ディスクトレイの前記ディスク収納部の全体を覆うディスクカバーと、
を備え、
前記ディスクカバーの外周縁に周方向に連続する環状接触部を設け、
前記環状接触部は、当該ディスクカバーの板厚の厚みよりも広い面積を有し、当該環状接触部を前記ディスクトレイの前記ディスク収納部の周縁の全周に渡って接触させるようにした
ことを特徴とするディスク記録及び／又は再生装置。
【請求項２】
前記ディスク収納部は、前記ディスクトレイの主面に設けた周方向に連続する側面壁を有し、当該側面壁の一部に、当該ディスク収納部に収納されたディスク状記録媒体の外周縁に接触するための切欠き部を設けた
ことを特徴とする請求項１記載のディスク記録及び／又は再生装置。
【請求項３】
前記ディスクカバーは、前記ディスクトレイの前記ディスク収納部を有する主面の全体を覆う板金からなり、
当該ディスクカバーの中央部に、当該ディスク収納部に対応した大きさを有する膨出部を設け、当該膨出部の外周縁に前記環状接触部を設けた
ことを特徴とする請求項１記載のディスク記録及び／又は再生装置。
【請求項４】
前記ディスクカバーは、厚さ０．５ｍｍ以下の板金によって形成した
ことを特徴とする請求項３記載のディスク記録及び／又は再生装置。
【請求項５】
前記トレイ収納筐体又は前記ディスクカバーに、当該ディスクカバーを前記ディスクトレイの主面に付勢する弾性部材を設けた
ことを特徴とする請求項１記載のディスク記録及び／又は再生装置。
【請求項６】
前記弾性部材は、前記トレイ収納筐体又は前記ディスクカバーに固定された板ばねからなり、当該板ばねで当該ディスクカバーの前記環状接触部を押圧するようにした
ことを特徴とする請求項５記載のディスク記録及び／又は再生装置。
【発明の詳細な説明】
【技術分野】
【０００１】
本発明は、ディスク状記録媒体が収納される凹部からなるディスク収納部を有するディスクトレイの前記ディスク収納部をディスクカバーで覆うようにしたディスク記録及び／又は再生装置に関する。
【背景技術】
【０００２】
従来の、この種のディスク記録及び／又は再生装置としては、例えば、特許文献１に記載されているようなものがある。特許文献１には、ディスクを高速回転させたとき発生する振動を防止することができるディスク駆動装置に関するものが記載されている。この特許文献１に記載された光ディスク装置のディスク駆動装置は、「非動作位置にあるトレイに設けられているディスク載置部にディスクを載置した後該トレイを動作位置に変位させたときディスクをターンテーブル上に載置させるように構成された光ディスク装置において、トレイが動作位置にあるときディスクの上方にディスク面を被う円盤状カバーを設けた」ことを特徴としている。
【０００３】
このような構成を有する光ディスク装置のディスク駆動装置（以下「第１の従来例」という。）によれば、「空気の流れがディスクの回転に与える影響を小さくすることができるので、ディスクの回転特性を向上させることができる」（明細書の段落［００１９］）という効果が期待される。
【０００４】
また、従来の、他のディスク記録及び／又は再生装置としては、例えば、特許文献２に記載されているようなものもある。特許文献２には、光ディスク記録媒体や光ピックアップへの塵埃の付着を可及的に抑制した光ディスクドライブ装置に関するものが記載されている。この特許文献１に記載された光ディスクドライブ装置は、「光ディスク記録媒体を上面に着脱交換自在に載置しつつ、筐体の前面開口部を介して当該筐体前面と当該筐体内面とを水平方向へ引き出し収納自在に摺動するディスクトレイを具備したトレイローディング方式の光ディスクドライブ装置において、前記ディスクトレイが前記筐体内部へ収納された状態にある場合には、前記光ディスク記録媒体を上面から側面に亙って前記ディスクトレイとの間に蓋状に覆うカバーと、当該カバーを上方から前記ディスクトレイへ抑圧付勢する駆動機構とを具備した」ことを特徴としている。
【０００５】
このような構成を有する光ディスクドライブ装置（以下「第２の従来例」という。）によれば、「ローディングトレイ方式を採用しながら、光ディスク記録媒体や光ピックアップへの塵埃の付着を大幅に減少可能」（明細書の段落［００３２］）という効果が期待される。
【特許文献１】特開２００３−６８０５１号公報
【特許文献２】特開平９−１７０８２号公報
【０００６】
図１７は、前述した第１の従来例を説明する図である。図１７において、符号１００はディスク、１０１はトレイ、１０２は円盤状カバー、１０３は支持部材である。トレイ１０１は、円形の凹部からなるディスク収納部１０４を有しており、そのディスク収納部１０４内にディスク１００が出し入れ可能に収納されている。このディスク収納部１０４内においてディスク１００は、図示しないターンテーブルに装着されて回転可能に支持されている。このディスク収納部１０４は、その全体が円盤状カバー１０２によって覆われている。
【０００７】
円盤状カバー１０２は、図示しないが、ターンテーブルに対向設置されたクランプ部材と共に支持部材１０３によって回転自在に支持されている。円盤状カバー１０２の外周縁には、環状に連続した側面部１０２ａが設けられている。この円盤状カバー１０２の側面部１０２ａのリング状に連続した先端面が、トレイ１０１の主面に設けたディスク収納部１０４の周縁に接触されている。
【０００８】
しかしながら、第１の従来例においては、ディスク１００の上方にディスク面を覆う円盤状カバー１０２を設けることにより、ディスクの回転に伴って発生する空気の流れを制御し、空気の流れがディスクの回転に与える影響を小さくして、ディスクの回転特性を向上させるようにしているが、円盤状カバー１０２のリング状に連続した側面部１０２ａをトレイ１０１の主面に対向させる構成となっていた。そのため、トレイ１０１の主面に対向する円盤状カバー１０２の側面部１０２ａの端面の面積が小さくて隙間を生じ易いことから、ディスク１００の回転に伴って発生する空気の流れが、円盤状カバー１０２の側面部１０２ａとトレイの主面との間の隙間を通って移動してしまい、その結果として、空気の流れによる騒音レベルが高くなってしまうという問題があった。
【０００９】
また、第２の従来例においては、ディスクトレイに載置された光ディスクを上部から側部に亙って覆う円盤状のカバーを設け、そのカバーで塵埃の侵入を阻止するようにしているが、カバーの周縁部が下方へ向かって折曲られており、その周縁部をトレイの主面に対向させる構成となっていた。そのため、第１の従来例と同様に、トレイの主面に対向するカバーの周縁部の面積が小さくて隙間を生じ易いことから、ディスクの回転に伴って発生する空気の流れが、カバーの周縁部とトレイの主面との間の隙間を通って移動してしまい、同じく空気の流れによる騒音レベルが高くなってしまうという問題があった。
【発明の開示】
【発明が解決しようとする課題】
【００１０】
解決しようとする問題点は、従来のディスク記録及び／又は再生装置では、ディスク収納部に塵埃等が侵入するのを防止するためのカバーは存在していたが、ディスクトレイの主面に対向するカバーの外周縁（又は周縁部）の面積が小さいために、ディスクの回転に伴って発生する空気の流れが、そのカバーの外周縁（又は周縁部）とディスクトレイの主面との間の隙間を通って移動してしまい、その結果として、空気の流れによる騒音レベルが高くなってしまうという点である。
【課題を解決するための手段】
【００１１】
上述した課題を解決するために、本出願のディスク記録及び／又は再生装置は、ディスク状記録媒体が出し入れ可能に収納される凹部からなるディスク収納部を有するディスクトレイと、このディスクトレイを、そのディスクトレイの面方向へ移動可能に支持するトレイ収納筐体と、このトレイ収納筐体に取り付けられると共に、そのトレイ収納筐体に収納されたときのディスクトレイのディスク収納部の全体を覆うディスクカバーと、を備え、ディスクカバーの外周縁に周方向に連続する環状接触部を設け、この環状接触部は、ディスクカバーの板厚の厚みよりも広い面積を有し、その環状接触部をディスクトレイのディスク収納部の周縁の全周に渡って接触させるようにしたことを最も主要な特徴とする。
【発明の効果】
【００１２】
本出願のディスク記録及び／又は再生装置では、ディスクトレイの主面にディスクカバーの外周縁に設けた環状接触部を接触させ、その接触面積を大きくして、ディスクカバーの板厚の厚みよりも広い面積でディスクカバーをディスクトレイに接触させる構成とした。そのため、ディスクカバーとディスクトレイとの間の隙間を無くし若しくは可及的に小さくして、その隙間を通る空気の流れを防止し若しくは抑制して、隙間を通る空気の流れによる騒音レベルの上昇を防ぎ、ディスク状記録媒体の回転により発生する騒音レベルの低減を図ることができる。
【発明を実施するための最良の形態】
【００１３】
ディスクカバーの外周縁に環状接触部を設け、その環状接触部をディスクカバーの板厚の厚みよりも広い面積とすることにより、ディスク収納部への塵埃等の侵入を防止すると共に、ディスク状記録媒体の回転により発生する騒音レベルの低減を図ることができるディスク記録及び／又は再生装置を、簡単な構造によって実現した。
【実施例１】
【００１４】
図１〜図１６は、本発明の実施の形態の例を説明するものである。即ち、図１〜図１６は本発明のディスク記録及び／又は再生装置の第１の実施の例を説明するもので、図１は本発明に係るノート型パーソナルコンピュータの斜視図、図２はディスクドライブ装置の外観斜視図、図３はトップカバーを分解したディスクドライブ装置の外観斜視図、図４はディスクドライブ装置の分解斜視図、図５は図４から更にガイドレール及び固定レールを分解した斜視図、図６はディスクドライブ装置のドライブユニットの斜視図、図７はドライブユニットの平面図である。
【００１５】
また、図８はディスクトレイ及びディスクカバーの要部を示す説明図、図９はディスクドライブ装置の断面図、図１０Ａ，１０Ｂは図９の要部を拡大した説明図、図１１はディスクトレイ及びディスクカバーの接触部の説明図、図１２はディスクカバーに取り付けられた弾性部材の第１の実施の例を示す説明図、図１３は弾性部材の第２の実施の例を示す説明図、図１４はディスクトレイをトレイ収納筐体に装着する前の状態の説明図、１５Ａ，１５Ｂはディスクトレイをトレイ収納筐体に装着する状態の説明図、図１６はディスクトレイとディスクカバーの間に生じる隙間の説明図である。
【００１６】
まず、図１を参照して、本発明のディスク記録及び／又は再生装置の第１の実施の例として示すノート型パーソナルコンピュータ（以下、「ノート型パソコン」という。）について説明する。このノート型パソコン１は、偏平で直方体をなす筐体２と、同じく偏平で直方体をなす蓋体３とを備えて構成されている。筐体２及び蓋体３は、それぞれに所定の大きさを有する空間部が設けられていると共に、互いに重なり合って積層可能に構成されている。即ち、筐体２の上に蓋体３が積層され、その筐体２と蓋体３がヒンジ機構４によって回動可能に連結されている。
【００１７】
ヒンジ機構４は、筐体２の上面後方両側部において左右方向へ延在するように設けた一対の筐体側ヒンジ部４ａ，４ａと、蓋体３の後方中央部において左右方向へ延在すると共に一対の筐体側ヒンジ部４ａ，４ａ間に挟まれるように設けた蓋体側ヒンジ部４ｂと、同一軸心線上に対向された一対の筐体側ヒンジ部４ａ，４ａと蓋体側ヒンジ部４ｂを貫通するヒンジ軸４ｃとの組み合わせからなっている。このヒンジ機構４によって筐体２と蓋体３が回動可能に連結され、筐体２に対して蓋体３が上下方向へ回動可能とされたノート型パソコン１が構成されている。なお、蓋体３は筐体２に対して、任意の角度位置でその傾斜した姿勢を保持できるように構成されている。
【００１８】
図１に示すように、蓋体３の内面である筐体２の上面と対向する面には、周囲にわずかな縁取りを残して開口部５が設けられている。蓋体３の開口部５には、その内部に収納された表示装置である液晶ディスプレイや有機ＥＬディスプレイ、表面電界ディスプレイ等の平面表示パネルディスプレイ６が臨まれている。平面表示パネルディスプレイ６の内側には、図示しないが、平面表示パネルディスプレイ６の背面側に光を当てるバックライトや、平面表示パネルディスプレイ６の画面を制御する制御装置が搭載された回路基板等が必要に応じて収納されている。そして、各種の情報や画像等が平面表示パネルディスプレイ６に表示可能に構成されている。
【００１９】
また、筐体２の上面である蓋体３の開口部５と対向する面には、多数のキーを有するキー式入力部７と、タッチパネル式入力手段等を備えた入力操作を行うためのタッチ式入力部８が設けられている。これらの入力部７，８から制御信号が入力され、所定の情報処理等が行われる。この筐体２の内部には、次に述べるディスクドライブ装置１０と、このディスクドライブ装置１０やその他の装置、機器等を制御する制御装置が搭載された図示しない制御基板と、ディスクドライブ装置１０や制御装置等に電力を供給する図示しないバッテリー電源等が収納されている。
【００２０】
ノート型パソコン１は、筐体２の側面に設けたドライブ収納部９に収納されるディスクドライブ装置１０を備えている。ディスクドライブ装置１０は、ディスク状記録媒体を回転駆動すると共にその情報記録部に対して情報信号の記録（書込み）や再生（読出し）を行うものである。このディスクドライブ装置１０は、図２〜図５に示すような構成を備えている。即ち、ディスクドライブ装置１０は、図４等に示すように、ディスク状記録媒体の一具体例を示す光ディスクＤが出し入れ可能に収納されるディスク収納部１１を有するディスクトレイ１２と、このディスクトレイ１２を出し入れ可能に支持するトレイ収納筐体１３と、このトレイ収納筐体１３に収納されたディスクトレイ１２のディスク収納部１１を覆うディスクカバー１４と、ディスクトレイ１２に組み立てられたドライブユニット２０等を備えて構成されている。
【００２１】
ディスクドライブ装置１０が収納されるドライブ収納部９は、筐体２の一方の側面に開口された開口部を有しており、その開口部を塞ぐようにディスクドライブ装置１０がドライブ収納部９に装着されて筐体２に取り付けられている。このディスクドライブ装置１０に使用されるディスク状記録媒体としては、この実施例で説明する光ディスクＤは勿論のこと、これ以外にも、光磁気ディスク、磁気ディスク等のように各種の記録用ディスクを適用することができる。
【００２２】
更に、光ディスクにおいても、再生専用のＣＤ、ＣＤ−ＲＯＭ、ＤＶＤ−ＲＯＭ等の光ディスクは勿論のこと、１回の記録或いは何度でも記録が可能なＣＤ−ＲＷ、ＤＶＤ−Ｒ、ＤＶＤ−ＲＷ等の光ディスクのように各種の光ディスクを適用することができる。これらに対応して、ディスク記録及び／又は再生装置としては、例えば、光ディスク式記録装置、光ディスク式再生装置、光ディスク式記録再生装置、光ディスク式撮像装置、光磁気ディスク式記録装置、光磁気ディスク式再生装置、光磁気ディスク式撮像装置、磁気ディスク式記録装置、磁気ディスク式再生装置、磁気ディスク式記録再生装置等を挙げることができる。
【００２３】
また、このディスクドライブ装置１０に使用される光ディスク等の大きさは、この実施例では、直径が１２ｃｍのディスク状記録媒体を用いた例について説明しているが、この大きさに限定されるものではなく、直径が８ｃｍのディスク状記録媒体は勿論のこと、その他の大きさのディスク状記録媒体を対象とすることができることは勿論である。更に、ディスク状記録媒体として、直径が異なる複数種類のディスク、例えば、直径が１２ｃｍの光ディスクと、直径が８ｃｍの光ディスクとのいずれにも対応できるように構成することもできる。
【００２４】
ディスクドライブ装置１０のディスクトレイ１２は、略長方形をなす偏平の板状部材からなり、主面をなす上面にディスク収納部１１が設けられている。ディスク収納部１１は、円形の凹部からなり、その外周縁の略全体が側面壁１６によって囲われている。ディスクトレイ１２の後側の一方の角部から側面部に至る部分は、側面壁１６が露出されるよう円弧状に形成されている。これにより、ディスクトレイ１２のディスク収納部１１の外側の３箇所に、先端部が９０°に尖った角部が形成されている。そして、ディスクトレイ１２のトレイ移動方向Ｘの一側である基端部に、前面板１８が一体的に設けられている。
【００２５】
前面板１８は、筐体２に設けたドライブ収納部９の開口部を閉じるもので、その開口部に見合った大きさ及び形状を有している。即ち、前面板１８は、ドライブ収納部９の開口部を閉じることができる長尺状の板状部材からなり、その平面方向をディスクトレイ１２の主面と直交する方向に向けてディスクトレイ１２の突出側である前面に固定されている。この前面板１８には、ディスクトレイ１２をトレイ収納筐体１３から自動的に排出させるためのイジェクト釦１９が配置されている。
【００２６】
イジェクト釦１９は、図示しないトレイ排出機構の操作（動作開始）手段である。トレイ排出機構は、例えば、電磁石を有する電磁ソレノイドを用いて構成することができる。この電磁ソレノイドは、例えば、ディスクトレイ１２に固定される可動鉄心と、トレイ収納筐体１３に固定される固定鉄心と、その固定鉄心に装着されるコイルと、可動鉄心の戻しばね等によって構成される。そして、コイルに流れる電流の磁気作用により可動鉄心を固定鉄心に吸着してディスクトレイ１２をトレイ収納筐体１３に収納した第１の位置に保持し、その電流を切ることにより戻りばねのばね力で可動鉄心を固定鉄心から離反させてディスクトレイ１２をトレイ収納筐体１３から飛び出した第２の位置に移動させるように構成することができる。この電磁ソレノイドの電流を切るためのスイッチ手段としてイジェクト釦１９を用いることができる。
【００２７】
また、ディスクトレイ１２のディスク収納部１１には、ドライブユニット２０が嵌合される開口穴２１が設けられている。開口穴２１は、ドライブユニット２０の平面形状に見合う大きさ及び形状を有しており、図示しないベース部材に固定されたドライブユニット２０が嵌合されている。ベース部材は、ディスクトレイ１２の下面にねじ止めされており、このベース部材に載置されたドライブユニット２０の上面は、ディスク収納部１１の載置面と略同一の高さに設定されている。
【００２８】
ディスクトレイ１２の両角部には、図４及び図８等に示すように、一対の落し込み部１７，１７が設けられている。一対の落し込み部１７，１７は、ディスクカバー１４の姿勢（傾斜）を制御するために設けたもので、トレイ移動方向Ｘの断面形状が略Ｖ字状をなす凹部として形成されている。更に、ディスクトレイ１２の一方の前側角部には、ディスク収納部１１に連通された指掛け用の指掛け凹部２２が設けられている。この指掛け凹部２２は、ドライブユニット２０に装着されている光ディスクＤの外周縁に指の先端を引っ掛け、その光ディスクＤを引っ掛け上げるためのものである。この指掛け凹部２２の部分だけ、ディスク収納部１１の側面壁１６が切り欠かれた状態になっている。ディスクトレイ１２及び前面板１８の材質としては、例えば、ＡＢＳ（アクリロニトリル・ブタジエン・スチレン樹脂）等のエンジニアリングプラスチックが好適である。しかしながら、アルミニウム合金等の金属を用いることもできる。
【００２９】
ディスクトレイ１２に搭載されるドライブユニット２０は、図６及び図７に示すような構成を有している。即ち、ドライブユニット２０は、図示しないベース部材にマウントインシュレータを介して弾性的に支持されるベース枠材２４と、このベース枠材２４に固定されたディスク回転駆動装置２５と、ベース枠材２４に移動可能に支持された光ピックアップ２６と、この光ピックアップ２６を進退移動させるピックアップ移動機構２７等を備えて構成されている。
【００３０】
ドライブユニット２０のディスク回転駆動装置２５は、ディスク装着部となるターンテーブル２８を有しており、このターンテーブル２８に光ディスクＤが装着される。このディスク回転駆動装置２５のターンテーブル２８を回転駆動することにより、光ディスクＤが所定速度（例えば、線速度一定）で回転される。光ピックアップ２６は、ターンテーブル２８に装着されて回転駆動される光ディスクＤに対して、その情報記録面に光ビームを照射して新たに情報を書き込み、或いは、照射した光ビームの反射光を読み込むことによって予め情報記録面に記録されている情報を読み出す。
【００３１】
ピックアップ移動機構２７は、ターンテーブル２８に装着されて回転駆動される光ディスクＤの情報記録面に沿って光ピックアップ２６を半径方向へ移動させる。この半径方向への移動のうち外側への移動時に、光ピックアップ２６による情報信号の記録及び／又は再生動作が実行される。これらディスク回転駆動装置２５と光ピックアップ２６とピックアップ移動機構２７がベース枠材２４に取り付けられている。このベース枠材２４を有するドライブユニット２０が、図示しないベース部材を介してディスクトレイ１２に取り付けられている。
【００３２】
図７に示すように、ベース枠材２４は、板金を所定の形状に打ち抜き、その周囲を僅かに下方へ折り曲げることによって形成されている。ベース枠材２４の平面形状は、長方形の４つの角部に大きな面取り部を設けると共に、内側に大きな開口部３１を設け、全体として横長の略八角形をなす枠体として形成されている。ベース枠材２４の開口部３１は、光ピックアップ２６の上部を露出させるピックアップ用開口部３１ａと、ディスク回転駆動装置２５のターンテーブル２８を上方へ臨ませるテーブル用開口部３１ｂを有している。ピックアップ用開口部３１ａは、光ピックアップ２６の上部全体を露出させるように大きく略矩形に形成されており、その長手方向の一側に略半円形をなすテーブル用開口部３１ｂが配置されている。
【００３３】
開口部３１のテーブル用開口部３１ｂには、テーブル回転駆動装置２５が配置されている。テーブル回転駆動装置２５は、光ディスクＤが着脱可能に装着されるターンテーブル２８を有するスピンドルモータ２９と、このスピンドルモータ２９を固定してベース枠材２４に支持する支持プレート３２を有している。ターンテーブル２８は、スピンドルモータ２９の回転部に装着されて一体的に設けられており、支持プレート３２に固定された固定部によって回転自在に支持されている。このターンテーブル２８の載置部２８ｂが、ベース枠材２４のテーブル用開口部３１ｂから僅かに上方へ突出するように、スピンドルモータ２９を支持する支持プレート３２がベース部材２４の下面にねじ止めされて取り付けられている。
【００３４】
ターンテーブル２８は、光ディスクＤの中心穴ｄに嵌合される円柱状の凸部からなる嵌合部２８ａと、光ディスクＤの中心穴ｄの周縁部が載置される載置部２８ｂを有している。嵌合部２８ａと載置部２８ｂは一体に形成されており、載置部２８ｂには、光ディスクＤとの接触を和らげるリング状のクッション材３３が取り付けられている。嵌合部２８ａには、光ディスクＤの中心穴ｄに係合される複数（本実施例では３個）の係止爪３４が周方向へ略等間隔に配置されている。各係止爪３４は、図示しないコイルばね等の弾性部材により付勢され、各先端部が嵌合部２８ａの外周面から半径方向外側へ突出されている。これらの係止爪３４がチャッキング機構をなしており、すべての係止爪３４を中心穴ｄに係合することにより、光ディスクＤがターンテーブル２８に保持される。
【００３５】
このディスク回転駆動装置２５に対して、光ピックアップ２６が所定の範囲内で接近及び離反可能に構成されている。光ピックアップ２６は、光ビームを出射する光源となる半導体レーザと、戻りの光ビームを受光する受光素子等からなる光検出器を有している。この光ピックアップ２６は、半導体レーザから光ビームを出射し、その光ビームをピックアップレンズ３６により集光して光ディスクＤの情報記録面に照射すると共に、その情報記録面で反射された戻りの光ビームを光検出器で受光する。これにより、光ディスクＤの情報記録面に対する情報信号の書き込み又は読み出しを行うことができる。
【００３６】
また、光ピックアップ２６は、ピックアップレンズ３６を光軸方向（以下「フォーカシング方向」という。）と、光ディスクＤの記録トラックと直交する方向（以下「トラッキング方向」という。）に変位駆動する２軸アクチュエータ等のレンズ駆動機構を有している。このレンズ駆動機構が、光検出器により検出された光ディスクＤからの検出信号に基づいてピックアップレンズ３６をフォーカシング方向及びトラッキング方向に変位させながら、情報記録面上にピックアップレンズ３６の焦点を合わせる。これにより、ピックアップレンズ３６の焦点を情報記録面上に合わせるフォーカスサーボや、ピックアップレンズ３６により集光される光ビームのスポットを記録トラックに追従させるトラッキングサーボ等の駆動制御が実行される。この光ピックアップ２６が、ピックアップ移動機構２７を介してベース枠材２４に搭載され、ターンテーブル２８に対して所定の範囲内で接近及び離反可能とされている。
【００３７】
ピックアップ移動機構２７は、ピックアップベース３７と一対のガイド軸３８，３９と送りねじ軸４１と駆動モータ４２を有している。ピックアップベース３７は、２軸アクチュエータや光検出器等が収納される偏平なブロック状の部材からなり、一対のガイド軸３８，３９によって移動可能に支持されている。一対のガイド軸３８，３９は、ベース枠材２４の下面においてターンテーブル２８の一側に、互いに所定の間隔をあけて略平行となるように配置されている。そして、一対のガイド軸３８，３９は、ベース枠材２４の４箇所において、それぞれ軸受部によって両端支持されている。各軸受部は、ベース枠材２４に設けた軸受片と、その押え板からなり、押え板をねじ止めして軸受片との間で挟持することにより、各ガイド軸３８，３９の両端がベース枠材２４に締付固定されている。
【００３８】
ピックアップベース３７は、一対のガイド軸３８，３９の軸方向と直交する両外側に突出する第１の軸受部４３と第２の軸受部４４を有している。第１の軸受部４３は、第１のガイド軸３８が摺動可能に挿通される軸受穴を有する前側軸受部４３ａと後側軸受部４３ｂからなっている。前後の軸受部４３ａ，４３ｂは、第１のガイド軸３８の軸方向へ所定の間隔をあけて同一平面上に配置されている。この前後の軸受部４３ａ，４３ｂの間に、送りねじ軸４１のねじ溝に係合する係合部を有するラック部材４５が配置されている。このラック部材４５は、固定ねじ４６によってピックアップベース３７にねじ止めされている。
【００３９】
第２の軸受部４４には、側方に開口するガイド溝が設けられている。このガイド溝に、第２のガイド軸３９が摺動可能に挿通されている。この第２の軸受部４４を貫通する第２のガイド軸３９と、第１の軸受部４３の前後の軸受部４３ａ，４３ｂを貫通する第１のガイド軸３８によって、ピックアップベース３７がスライド可能に支持されている。送りねじ軸４１は、第１のガイド軸３８との間に所定の間隔をあけて略平行に配置されている。送りねじ軸４１は、駆動モータ４２の回転軸となっており、その駆動モータ４２が図示しない取付ブラケットにより、ベース枠材２４に固定されている。また、取付ブラケットには、送りねじ軸４１の先端側が回動自在に支持されている。この取付ブラケットがベース枠材２４にねじ止めされており、これにより、送りねじ軸４１と駆動モータ４２がベース枠材２４に取り付けられている。
【００４０】
ピックアップベース３７には、図示しないフレキシブル配線板の一端が連結されている。このフレキシブル配線板は、ベース枠材２４に保持されている光ピックアップ２６をドライブユニット２０の外部にある図示しない電源側コネクタと電気的に接続するもので、可撓性を有する柔軟性に富んだ配線部材である。フレキシブル配線板は、ピックアップベース３７に取り付けられる第１の接続部と、電源側コネクタに接続される第２の接続部を有している。フレキシブル配線板には多数の配線回路を有する配線回路群が形成されており、各配線回路が第１の接続部から第２の接続部までそれぞれ連続されている。
【００４１】
図６に示すように、ベース枠材２４の上面にはベースカバー４７が取り付けられている。このベースカバー４７は、ベース枠材２４の平面形状に略対応する形状とされている。このベースカバー４７には、ターンテーブル２８と光ピックアップ２６のピックアップレンズ３６を露出させるための開口部４８が設けられている。開口部４８は、光ピックアップ２６の移動方向に延在されており、光ピックアップ２６がターンテーブル２８から最も離れた位置からターンテーブル２８が露出されたテーブル用開口部３１ｂまで連続する長穴として形成されている。このベースカバー４７が、複数個（本実施例では６個）の固定ねじ４９によってベース枠材２４の上面に締付固定されている。
【００４２】
このような構成を有するドライブユニット２０が、それぞれダンパを介して３箇所でベース部材に固定されている。このため、ベース枠材２４には３つの脚体片２４ａが設けられており、各脚体片２４ａのネック部にダンパが装着されている。このようにダンパを介してドライブユニット２０をベース部材に固定することにより、振動や衝撃等の外乱が光ピックアップ２６等に伝わり難い構造とすることができる。
【００４３】
ディスクトレイ１２が出し入れされるトレイ収納筐体１３は、図５に示すように、上面と前面に開放されたトレイシャーシ５１と、下面と前面に開放されたトップカバー５２とからなっている。トレイシャーシ５１の上にトップカバー５２が重ね合わされており、これにより、前面にのみ開口されたトレイ収納部６０が形成されている。この重ね合わせ状態で複数個の固定ねじ５３により、図２及び図３に示すように、トップカバー５２がトレイシャーシ５１に締付固定されてトレイ収納筐体１３が構成されている。このトレイ収納筐体１３の前面に開口されたトレイ収納部６０の開口部からディスクトレイ１２が出し入れされる。
【００４４】
図５に示すように、トレイシャーシ５１の下面部５１ａの、ディスクトレイ１２が出し入れされるトレイ移動方向Ｘと交差する方向Ｙの一側に、適当な高さの段部５１ｂが設けられ、その段部５１ｂの上端には外側に突出する棚部５１ｃが連続して設けられている。この棚部５１ｃは、ディスクトレイ１２のディスク収納部１１を完全な円形に形成したことにより円弧状に張り出した張出し部（図５においてクロスハッチングで示した部分）１２ａを収容するために設けたものである。
【００４５】
また、トレイシャーシ５１の下面部５１ａには、所定の回路基板上に必要なマイクロコンピュータや電子機器その他の装置や部品等が実装された制御基板５４が収容されている。この制御基板５４には、図示しないフレキシブル配線板の一側が電気的に接続されており、その他側がドライブユニット２０のコネクタと機械的及び電気的に接続されている。更に、制御基板５４には、外部の電子機器と電気的に接続するためのコネクタ５５が実装されている。このトレイシャーシ５１の下面部５１ａに、一対の固定レール５６Ｌ，５６Ｒが固定されている。第１の固定レール５６Ｌには第１の可動レール５７Ｌが、その長手方向へ移動可能に支持されている。そして、第２の固定レール５６Ｒには第２の可動レール５７Ｒが、その長手方向へ移動可能に支持されている。
【００４６】
図４及び図９に示すように、一対の固定レール５６Ｌ，５６Ｒは、トレイシャーシ５１の下面部５１ａの交差する方向Ｙの各角部において、その長手方向をトレイ移動方向Ｘに向けた状態で配置されている。一対の固定レール５６Ｌ，５６Ｒのうち、第１の固定レール５６Ｌは、断面形状がコ字状をなしている。図１０Ｂ等に示すように、第１の固定レール５６Ｌの高さは、トレイシャーシ５１の段部５１ｂと略同じ高さに設定されている。そして、第１の固定レール５６Ｌは、その開口側を第２の固定レール５６Ｒに対向させるように内側へ向けた状態で下面部５１ａに固定されている。
【００４７】
また、第２の固定レール５６Ｒは断面形状がコ字状をなす部分と、その一端において内側に折曲形成された内フランジ部５６ａと、その他端において外側へ折曲形成された外フランジ部５６ｂを有している。図１０Ａ等に示すように、第２の固定レール５６Ｒの外フランジ部５６ｂの高さはトレイシャーシ５１の高さよりも少し低く設定されており、その高さ内に入り込むように設定されている。そして、第２の固定レール５６Ｒは、その開口側を第１の固定レール５６Ｌに対向させるように内側へ向けた状態で下面部５１ａに固定されている。
【００４８】
この第１の固定レール５６Ｌの凹部内に、第１の可動レール５７Ｌが移動可能に挿入されている。そして、第２の固定レール５６Ｒの凹部内に、第２の可動レール５７Ｒが移動可能に挿入されている。第１の可動レール５７Ｌ及び第２の可動レール５７Ｒは、共にコ字状をなす断面形状の一端に内フランジ部５７ａを有している。この第１の可動レール５７Ｌの凹部内に、ディスクトレイ１２の下面に設けた第１の脚体部５８Ｌが摺動可能に係合されている。そして、第２の可動レール５７Ｒの凹部内に、ディスクトレイ１２の下面に設けた第２の脚体部５８Ｒが摺動可能に係合されている。
【００４９】
これら第１の脚体部５８Ｌ及び第２の脚体部５８Ｒが、第１の可動レール５７Ｌ及び第２の可動レール５７Ｒの各凹部内を、それぞれ長手方向へ移動可能に支持されている。２つの可動レール５７Ｌ，５７Ｒが２つの固定レール５６Ｌ，５６Ｒに完全に収納されたトレイ収納部６０に位置する状態が、ディスクトレイ１２がトレイ収納筐体１３のトレイ収納部６０に位置しているトレイ収納状態である。この状態において、ドライブユニット２０に対する光ディスクＤのチャッキング及びその解除操作が可能である。そして、ドライブユニット２０による光ディスクＤに対する情報信号の記録及び再生が実行可能となっている。
【００５０】
一方、２つの可動レール５７Ｌ，５７Ｒが２つの固定レール５６Ｌ，５６Ｒから最も飛び出した状態が、ディスクトレイ１２がトレイ収納筐体１３から飛び出してディスク排出位置に移動した状態である。このディスク排出位置において、ディスクトレイ１２のディスク収納部１１から光ディスクＤを取り出すことができ、また、そのディスク収納部１１に光ディスクＤを収納することができる。
【００５１】
このトレイシャーシ５１の上に重ね合わせるようにディスクカバー１４が配置されている。ディスクカバー１４は、トレイシャーシ５１の上面の開口部を閉じるように配置されていると共に、一対の枢軸６１，６１によって上下方向へ揺動可能に支持されている。一対の枢軸６１，６１は、トレイシャーシ５１の後部において側方へ突出するように設けられており、この一対の枢軸６１，６１を回動中心として所定の角度範囲内でディスクカバー１４が上下方向へ揺動可能とされている。
【００５２】
ディスクカバー１４は、トレイシャーシ５１の上面の全体を覆うことができる形状及び大きさを具えおり、且つ、適当な弾性を有する板金製の薄い板材によって形成されている。ディスクカバー１４ｄの材質としては、ばね性を有するステンレス鋼やばね鋼等が好適である。また、ディスクカバー１４の板厚は、装置全体の薄型化・小型化を考えると、０．５ｍｍ以下が好ましく、ばね性や強度等を考慮すると、０．２ｍｍ〜０．４ｍｍが最も好適である。ディスクカバー１４の板厚の適否等については、後に詳細に説明する。
【００５３】
ディスクカバー１４には、ディスクトレイ１２のディスク収納部１１に対応した大きさを有する略円形をなす中央膨出部１４ａが設けられている。中央膨出部１４ａの中央には、上方に膨出する小径の逃げ膨出部１４ｅが設けられている。この逃げ膨出部１４ｅは、ターンテーブル２８の嵌合部２８ａとの接触を回避するために設けたものである。この中央膨出部１４ａの内側に光ディスクＤが収納される。この中央膨出部１４ａの周縁に、周方向に連続する環状接触部６３が設けられている。環状接触部６３は、ディスクトレイ１２の上面に接触してディスク収納部１１をディスクカバー１４で塞ぎ、ディスク収納部１１に塵埃等が入り込むのを防止するものである。
【００５４】
更に、ディスクカバー１４の環状接触部６３の外側には、中央膨出部１４ａから３方に突出するように配置された３つの角部１４ｂ，１４ｃ，１４ｄが設けられている。３つの角部１４ｂ，１４ｃ，１４ｄは、ディスクカバー１４のトレイ移動方向Ｘ前側の両側に配置された第１の前角部１４ｂ及び第２の前角部１４ｃと、トレイ移動方向Ｘ後側の一側に配置された後角部１４ｄとからなっている。これにより、後角部１４ｄと第２の前角部１４ｃは、中央膨出部１４ａを挟んで対角線方向に対向されている。そして、第１の前角部１４ｂの対角線方向には、面取り状の切欠きが対向されている。
【００５５】
また、ディスクカバー１４の３つの角部１４ｂ，１４ｃ，１４ｄには、板ばねをなす昇降弾性片６４Ａ，６４Ｂ，６４Ｃがそれぞれ設けられている。３つの昇降弾性片６４Ａ，６４Ｂ，６４Ｃは、各角部１４ｂ，１４ｃ，１４ｄにおいて、側縁から所定の幅をあけた位置でトレイ移動方向Ｘに延在するスリットを設けて長尺状の片を形成し、この長尺片をへ字状に折り曲げて弾性を持たせることによって形成されている。３つの昇降弾性片６４Ａ，６４Ｂ，６４Ｃの折曲部の折曲側は、環状接触部６３の面よりも突出するように形成されている。この昇降弾性片６４Ａ，６４Ｂ，６４Ｃの弾性変形により、後述するように、環状接触部６３をディスクトレイ１２のディスク収納部１１の周縁に圧着させ、ディスクカバー１４でディスク収納部１１を覆って塵埃等が入り込むのを防止し若しくは抑制している。
【００５６】
更に、ディスクカバー１４の３つの角部１４ｂ，１４ｃ，１４ｄには、弾性部材の一具体例を示す板ばね６５Ａ，６５Ｂ，６５Ｃが設けられている。板ばね６５Ａ，６５Ｂ，６５Ｃは、環状接触部６３をディスクカバー１４のディスク収納部１１の周縁に圧着させために設けたもので、図４及び図１２等に示すような構成を有している。この板ばね６５Ａ，６５Ｂ，６５Ｃは、ディスクカバー１４に固定される帯状の固定片６６ａと、この固定片６６ａの幅方向の両側に連続するように形成された弾性を有する立上げ片６６ｂ，６６ｂとからなっている。そして、固定片６６ａをカシメ止めすることによってディスクカバー１４に一体的に固定されている。
【００５７】
即ち、板ばね６５Ａ，６５Ｂ，６５Ｃは、長手方向の中途部でへ字状に折り曲げられた固定片６６ａと、この固定片６６ａの折曲部の両側において幅方向両側に突出するように形成された弾性を有する４つの立上げ片６６ｂからなっている。４つの立上げ片６６ｂは、適度な角度を持って傾斜させて立ち上げられており、これによって各立上げ片６６ｂに弾性を付与している。固定片６６ａの複数箇所（この実施例では２箇所）にはカシメ穴６６ｃが設けられており、各カシメ穴６６ｃにはディスクカバー１４に設けたバーリング軸部６７がそれぞれ嵌合されている。このバーリング軸部６７の先端をカシメ止めすることにより、各板ばね６５Ａ，６５Ｂ，６５Ｃがディスクカバー１４の３つの角部１４ｂ，１４ｃ，１４ｄにそれぞれ固定されている。
【００５８】
更に、ディスクカバー１４の交差する方向Ｙの両側であって、第３の角部１４ｄと角の無い部分の近傍に、中央膨出部１４ａと反対側に突出した軸受片６８（右側のみを示す）がそれぞれ設けられている。各軸受片６８には軸受穴が設けられていて、それらの軸受穴にトレイシャーシ５１に設けた前記一対の枢軸６１がそれぞれ回動自在に嵌合されている。これにより、ディスクカバー１４はトレイシャーシ５１に対して、一対の枢軸６１を回動中心としてトレイ移動方向へ揺動可能に支持されている。
【００５９】
このディスクカバー１４の上方を覆うトップカバー５２は、トレイシャーシ５１の平面形状と見合う形状及び大きさを有している。そして、図３及び図９に示すように、トレイシャーシ５１の上に重ね合わせ可能とされている。トップカバー５２は、トレイシャーシ５１の上面を覆う上面部５２ａと、トレイシャーシ５１の側面の一部を覆う左右の側面部５２ｂ，５２ｃと、トレイシャーシ５１の背面の一部を覆う背面部５２ｄとを有している。上面部５２ａには、トップカバー５２をトレイシャーシ５１にねじ止めするための挿入孔（この実施例では４箇所）が設けられている。これらの挿入孔に対応してトレイシャーシ５１の対応する位置（４箇所）には、それぞれねじ孔が設けられている。これら挿入孔及びねじ孔に固定ねじ５３がそれぞれ螺合されていて、その締込みにより、図２に示すようにディスクドライブ装置１０が組み立てられている。
【００６０】
このような構成を有するディスクドライブ装置１０は、例えば、次のようにして簡単に組み立てることができる。まず、ディスクトレイ１２に、ドライブユニット２０と前面板１８とイジェクト機構と左右の可動レール５７Ｌ，５７Ｒを組み立てる。これとは別に、図５に示すように、トレイシャーシ５１に左右の固定レール５６Ｌ，５６Ｒを組み立てる。この際、トレイシャーシ５１には、予め制御基板５４を組み立てておくようにする。ここまでの組立状態が、図４に示すものである。
【００６１】
次に、一対の可動レール５７Ｌ，５７Ｒを一対の固定レール５６Ｌ，５６Ｒに組み立て、ディスクトレイ１２をトレイ収納筐体１３に移動可能に支持する。次いで、ディスクカバー１４をトレイシャーシ５１に組み立てる。最後に、図３に示すように、ディスクカバー１４の上からトップカバー５２を重ね合わせる。そして、複数個の固定ねじ５３でトップカバー５２をトレイシャーシ５１にねじ止めする。これにより、図２に示すように、装置全体の厚みを極めて薄くしたディスクドライブ装置１０の組立作業が完了する。
【００６２】
このように組み立てられるディスクドライブ装置１０が、図１に示すように、筐体２のドライブ収納部９に取り付けられる。これにより、ディスクドライブ装置１０を備えたノート型パソコン１が製造される。このノート型パソコン１に組み立てられたディスクドライブ装置１０は、例えば、次のようにして使用される。
【００６３】
ディスクドライブ装置１０を使用する場合は、まず、イジェクトボタン９を押圧してディスクトレイ１２を所定量だけ飛び出させる。ディスクトレイ１２が所定量だけ突出すると、ディスク収納部１１の大部分が露出される。そこで、ディスク収納部１１の中央部に配置されているターンテーブル２８に光ディスクＤを装着する。このターンテーブル２８は、セルフチャッキングタイプのものであるため、ターンテーブル２８に装着するだけで光ディスクＤが確実にチャッキングされる。なお、ターンテーブル２８から光ディスクＤを取り出す場合には、側面壁１６の一部に指掛け凹部２２を設けたことから、この指掛け凹部２２に指先を差し込んで光ディスクＤの外周縁に引っ掛けることにより、装着されている光ディスクＤを容易に取り出すことができる。
【００６４】
次に、ディスクトレイ１２を少し押圧し、図示しないトレイ移動機構を動作させる。これにより、トレイ移動機構の作動を介してディスクトレイ１２がトレイ収納筐体１３に引き込まれる。そして、トレイ収納筐体１３のトレイ収納部６０の所定位置にディスクトレイ１２が位置決めされる。
【００６５】
この際、図１４に示すように、ディスクトレイ１２がトレイ収納部６０に入る前の状態では、ディスクカバー１４は、トレイ収納筐体１３に略水平状態で保持されている。そのため、ディスクカバー１４のトレイ移動方向Ｘ前側の左右両側に設けた左右の昇降弾性片６４Ａ，６４Ｂの一部（中央折曲部）が、ディスクトレイ１２の先端部７１の移動軌跡上に突出した状態となっている。
【００６６】
更に、ディスクトレイ１２がトレイ収納部６０に入り込むと、ディスクトレイ１２の先端部７１が、ディスクカバー１４の左右の昇降弾性片６４Ａ，６４Ｂの中央折曲部に当接し、これを弾性変形させて上方へ押し上げる。これにより、図１５Ａに示すように、ディスクトレイ１２が、一対の枢軸６１を回動中心として、同図において反時計方向に回動され、挿入側が少し持ち上げられた状態となる。そのため、左右の昇降弾性片６４Ａ，６４Ｂ間に形成された引入れ部７２が、ディスクトレイ１２の上面より高く持ち上げられた状態となる。そのため、引入れ部７２がディスクトレイ１２の上面を擦ることがなく、ディスクトレイ１２のスムースな移動を確保することができる。
【００６７】
ディスクトレイ１２が更に奥まで入り込み、所定位置の近傍まで移動すると、ディスクカバー１４に設けた左右の昇降弾性片６４Ａ，６４Ｂが、ディスクトレイ１２に設けた左右の落し込み部１７，１７内に入り込む。そして、ディスクトレイ１２が所定位置まで移動すると、左右の昇降弾性片６４Ａ，６４Ｂが左右の落し込み部１７，１７の所定深さまで入り込む。これにより、図１５Ｂに示すように、ディスクカバー１４の環状接触部６３のうち、トレイ移動方向Ｘ前側の接触部（図８において太い破線で示す接触部）７３において、ディスクトレイ１２のディスク収納部１１の周縁に強く押圧される。このディスクカバー１４の押圧力は、３つの板ばね６５Ａ，６５Ｂ，６５Ｃによって付与される。
【００６８】
その後、光ディスクＤに対する情報信号の記録又は再生を開始する。即ち、スピンドルモータ２９を駆動して光ディスクＤを回転すると共に、光ピックアップ２６を動作させて、光ディスクＤの情報記録面に対する情報信号の書き込み又は読み出しを実行する。このとき、光ディスクＤが所定速度で回転駆動されると、光ディスクＤによる風切り音やその他の騒音が発生するが、その多くはディスクカバー１４を設けたことによって減少させることができる。
【００６９】
ディスクカバー１４を構成する上で、静音効果を出すためには、光ディスクＤが回転することにより発生する風の流れを、トップカバー５２に当てない構成にする必要がある。風の流れがトップカバー５２に当たると、その風の流れによって騒音が発生するからである。そのため、この実施例では、ディスクトレイ１２に張出し部１２ａを設け、ディスク収納部１１の全周を側面壁１６によって囲うようにした。これにより、ディスク収納部１１からトップカバー５２側に風が流れるのを防止して、騒音の発生を効果的に抑制することができるようになった。
【００７０】
なお、光ディスクＤとトップカバー５２の間にディスクカバー１４を配置するときの高さ関係は、光ディスクＤの面振れを考慮すると、光ディスクＤの上下面に１ｍｍ以上の空間を確保する必要がある。そのため、薄型化の進んだ最近のディスクドライブ装置１０では、ディスクカバー１４を配置できる空間は０．５ｍｍとなる。ところが、厚さ０．５ｍｍ以下のモールド品は成形が困難であり、また、成形できたとしても非常に強度不足なものとなる。従って、現時点においては、ディスクカバー１４は板金で構成する必要がある。
【００７１】
そこで、ディスクカバー１４を板金で構成すると、ディスクトレイ１２との接触部の構造を考慮する必要がある。即ち、図１７において従来例として述べたように、板金の切断面（コバ面）でディスクトレイ１２と接触させると、板厚が０．５ｍｍ以下であって、その接触面積が小さいことから、光ディスクＤの回転によって発生する風が、外部にかなりの量透過してしまう。そのため、その風が接触面を透過する際に騒音を発生し、好ましい静音効果が得られないことになる。これに対して、本願発明では、ディスクトレイ１２に接触するディスクカバー１４の環状接触部６３を、板金の切断面より広い折曲面で大きく形成したため、その接触面積を増加させて風が透過し難い構造とすることができた。そのため、光ディスクＤの回転によって発生する風の透過を減少させて、騒音のレベルを効果的に減少させることが可能となった。
【００７２】
また、ディスクカバー１４の板厚が０．５ｍｍ以下と極めて薄いために、図１６に示すように、ディスクカバー１４に反りを生じる可能性がある。この場合、ディスクカバー１４に反りが生じると、ディスクトレイ１２の接触部との間に隙間７５が生じてしまい、そうなると、光ディスクＤの回転による風の音が隙間７５を通過してしまい、若しくは、風自体が隙間７５を透過して、騒音が発生することになる。
【００７３】
これに対して、本願発明では、ディスクカバー１４に板ばね６５Ａ，６５Ｂ，６５Ｃを設け、これら板ばねのばね力でディスクカバー１４をディスクトレイ１２に付勢する（予圧を付与する）構成とした。そのため、トップカバー５２をトレイシャーシ５１に固定ねじ５３でねじ止めすることにより、３つの板ばね６５Ａ，６５Ｂ，６５Ｃを両側から挟んで予圧を付与することができる。その結果、３つの板ばね６５Ａ，６５Ｂ，６５Ｃのばね力により、ディスクカバー１４の環状接触部６３の全体を全周に渡ってディスクトレイ１２に密着させることができる。
【００７４】
なお、３つの板ばね６５Ａ，６５Ｂ，６５Ｃは、ディスクカバー１４に設けるようにする。その理由は、板ばねをカシメる場合、トップカバー５２側にカシメようとすると、トップカバー５２に穴が開いてしまうことになり、その穴から風が通過して騒音を発生することになる。これに対して、板ばねをディスクカバー１４にカシメる場合には、組立時において、ディスクカバー１４がディスクトレイ１２に密着されるため、そのカシメ用の穴がディスクトレイ１２で塞がれるために、騒音を発生するおそれがない。
【００７５】
図１３は、板ばね７７を、ディスクカバー１４から切り起こして一体に設けた実施の例を示すものである。この板ばね７７を設けることにより、ディスクカバー１４にはスリットや穴等の隙間が形成されることになるが、組立時には、ディスクカバー１４がディスクトレイ１２に密着されるため、その隙間をディスクトレイ１２で塞いで、騒音の発生を防止することができる。なお、板ばねの数は、上記実施例でのべた３個に限定されるものではなく、４個以上設けても良いことは勿論のこと、２個又は１個のみであってもよい。
【００７６】
以上説明したように、本発明によれば、ディスクドライブ装置を静音化させるのに有効なディスク記録及び／又は再生装置を、簡単な構成によって実現することができる。
【図面の簡単な説明】
【００７７】
【図１】本発明のディスク記録及び／又は再生装置の第１の実施の例を示すノート型パーソナルコンピュータ（ノート型パソコン）の斜視図である。
【図２】本発明のディスク記録及び／又は再生装置に係るディスクドライブ装置の第１の実施の例を示す外観斜視図である。
【図３】図２に示すディスクドライブ装置のトップカバーを分解した外観斜視図である。
【図４】図２に示すディスクドライブ装置の分解斜視図である。
【図５】図４に示すディスクドライブ装置から更にガイドレール及び固定レールを分解した斜視図である。
【図６】本発明のディスクドライブ装置に係るドライブユニットの第１の実施の例を示す斜視図である。
【図７】本発明のディスクドライブ装置に係るドライブユニットの平面図である。
【図８】本発明のディスクドライブ装置に係るディスクトレイ及びディスクカバーの要部を示す説明図である。
【図９】本発明のディスクドライブ装置の断面図である。
【図１０】図９の要部を拡大したもので、図１０Ａは第２の固定レール側の断面図、図１０Ｂは第１の固定レール側の断面図である。
【図１１】本発明のディスクドライブ装置に係るディスクトレイ及びディスクカバーの接触部の説明図である。
【図１２】本発明のディスクドライブ装置に係るディスクカバーに取り付けられた弾性部材の第１の実施の例を示す説明図である。
【図１３】本発明のディスクドライブ装置に係るディスクカバーに取り付けられた弾性部材の第２の実施の例を示す説明図である。
【図１４】ディスクトレイをトレイ収納筐体に装着する前の状態の説明図である。
【図１５】ディスクトレイをトレイ収納筐体に装着する状態を説明するもので、図１５Ａは挿入途中の状態、図１５Ｂは挿入完了状態のそれぞれ説明図である。
【図１６】ディスクトレイとディスクカバーの間に生じる隙間の説明図である。
【図１７】従来のディスクトレイ及びディスクカバーの接触部の説明図である。
【符号の説明】
【００７８】
１  ノート型パソコン、  ２  筐体、  ３  蓋体、  ４  ヒンジ機構、  ９  ドライブ収納部、  １０  ディスクドライブ装置、  １１  ディスク収納部、  １２  ディスクトレイ、  １２ａ  張出し部、  １３  トレイ収納筐体、  １４  ディスクカバー、  １６  側面壁、  １７  落し込み部、  １８  前面板、  １９  イジェクト釦、  ２０  ドライブユニット、  ２２  指掛け部、  ２４  ベース枠材、  ２５  ディスク回転駆動装置、  ２６  光ピックアップ、  ２８  ターンテーブル、  ２９  スピンドルモータ、  ３６  ピックアップレンズ、  ３７  ピックアップベース、  ５１  トレイシャーシ、  ５２  トップカバー、  ５６Ｌ，５６Ｒ  固定レール、  ５７Ｌ，５７Ｒ  可動レール、  ６０  トレイ収納部、  ６１  枢軸、  ６３  環状接触部、  ６４Ａ，６４Ｂ，６４Ｃ  昇降弾性片、  ６５Ａ，６５Ｂ，６５Ｃ，７７  板ばね（弾性部材）
【図１】
2008299944.tif 000003
【図２】
2008299944.tif 000004
【図３】
2008299944.tif 000005
【図４】
2008299944.tif 000006
【図５】
2008299944.tif 000007
【図６】
2008299944.tif 000008
【図７】
2008299944.tif 000009
【図８】
2008299944.tif 000010
【図９】
2008299944.tif 000011
【図１０】
2008299944.tif 000012
【図１１】
2008299944.tif 000013
【図１２】
2008299944.tif 000014
【図１３】
2008299944.tif 000015
【図１４】
2008299944.tif 000016
【図１５】
2008299944.tif 000017
【図１６】
2008299944.tif 000018
【図１７】
2008299944.tif 000019